(57)【要約】【課題】複数のディスプレイを互いに通信可能なネットワークで接続し、各ディスプレイに同一入力された映像コンテンツを、ディスプレイの配置に応じた所望のエリアのみ抽出し、表示タイミングを合わすマルチディスプレイ装置を提供する。【解決手段】互いに通信可能なネットワークで接続された複数のディスプレイ２１０〜２４０から構成され、各ディスプレイに送信された同一の映像コンテンツを復号し、マルチディスプレイ装置における各ディスプレイの配置に応じた所望のエリアを各ディスプレイが特定し、その特定されたエリアの画像を同一のタイミングで表示する。【選択図】図１
2017215566.tif 000002
【特許請求の範囲】
【請求項１】
ネットワーク接続された複数のディスプレイを組み合わせて一つの映像を表示するマルチディスプレイ装置であって、
前記複数のディスプレイは、
各々が前記ネットワークを介して通信可能な通信部と、
任意の映像コンテンツを復号し前記各ディスプレイの配置に応じた表示エリアを特定する映像処理部と、
前記映像処理部にて特定されたエリアの画像を表示する表示部と、
前記表示部にて表示するタイミングを前記複数のディスプレイ間で前記通信部を介して時刻を同期させる時刻同期部と、
前記通信部と前記映像処理部と前記表示部と前記時刻同期部とを制御する制御部と、
を備える、マルチディスプレイ装置。
【請求項２】
前記映像コンテンツは、前記複数のディスプレイ全てに対して同一である、
請求項１記載のマルチディスプレイ装置。
【請求項３】
前記制御部は、
前記映像コンテンツが静止画像である場合、前記映像処理部が、前記静止画像に対し前記各ディスプレイの配置に応じた特定の表示エリアのみを復号するように制御する、
請求項１または２記載のマルチディスプレイ装置。
【請求項４】
前記映像コンテンツを格納する記憶媒体を、さらに備え、
前記制御部は、
前記映像処理部が、前記記憶媒体に格納された前記映像コンテンツを復号するように制御する、
請求項１記載のマルチディスプレイ装置。
【発明の詳細な説明】
【技術分野】
【０００１】
本開示は、マルチディスプレイ装置に関する。
【背景技術】
【０００２】
特許文献１は、入力映像信号の分割装置を用いることなく複数のディスプレイで一つの映像を表示するマルチディスプレイ装置を開示する。このマルチディスプレイ装置は、ユーザが指定した縦横のディスプレイ台数の情報を元に、各ディスプレイにおいて、サンプリング開始位置と切り出しエリアを計算する。それと共に、入力映像信号の映像エリアの解像度とユーザが指定した縦横のディスプレイ台数に基づいて切り出しエリアの拡大率情報を計算する。そして、所望の拡大された映像信号を表示する。これにより、分割装置を用いずとも複数のディスプレイ全体で一つの映像を違和感なく表示することができる。
【先行技術文献】
【特許文献】
【０００３】
【特許文献１】特開２００３−２０８１４５号公報
【発明の概要】
【発明が解決しようとする課題】
【０００４】
特許文献１によると、水平同期信号及び垂直同期信号をもとに切り出し信号が生成され、この切り出し信号がイネーブルの時に入力された映像信号を切り出して所望の切り出しエリアを表示する。このような方法により切り出し信号が生成されると、ＪＰＥＧやＭＰＥＧといった画像圧縮された映像コンテンツが入力された場合、所望の切り出し信号を生成できない。また、画像圧縮された映像コンテンツの復号時間は各ディスプレイにより異なるため、切り出し映像の表示タイミングが合わないといった現象が生じる。
【０００５】
本開示は、複数のディスプレイを互いに通信可能なネットワークで接続し、各ディスプレイに同一入力された映像コンテンツから、ディスプレイの配置に応じた所望のエリアのみを抽出し、各ディスプレイの表示タイミングを合わせるマルチディスプレイ装置を提供する。
【課題を解決するための手段】
【０００６】
本開示は、ネットワーク接続された複数のディスプレイを組み合わせて一つの映像を表示するマルチディスプレイ装置である。複数のディスプレイは、各々がネットワークを介して通信可能な通信部と、任意の映像コンテンツを復号し各ディスプレイの配置に応じた表示エリアを特定する映像処理部と、映像処理部にて特定されたエリアの画像を表示する表示部と、表示部にて表示するタイミングを複数のディスプレイ間で通信部を介して時刻同期する時刻同期部と、通信部と映像処理部と表示部と時刻同期部を制御する制御部と、を備える。
【発明の効果】
【０００７】
本開示におけるマルチディスプレイ装置は、映像コンテンツの分割装置を用いることなく、表示タイミングを合わせた状態で、複数のディスプレイ全体で１つのコンテンツを容易に表示させることに有効である。
【図面の簡単な説明】
【０００８】
【図１】実施の形態１におけるマルチディスプレイ装置の構成図
【図２】実施の形態１におけるディスプレイの構成を示すブロック図
【図３】実施の形態１におけるマルチディスプレイ装置の動作を説明するためのフローチャート
【図４】実施の形態１におけるディスプレイの映像処理部の動作を説明するための図
【図５】実施の形態１におけるディスプレイの映像処理部の動作を説明するための図
【図６】実施の形態１におけるマルチディスプレイ装置の変形例の構成を示すブロック図
【図７】実施の形態２におけるマルチディスプレイ装置の動作を説明するためのフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態１）
以下、図１〜５を用いて、実施の形態１を説明する。
【００１２】
［１−１．構成］
図１は、実施の形態１にかかるマルチディスプレイ装置の構成図である。
【００１３】
図１において、映像コンテンツサーバ１００は、ネットワーク接続された各ディスプレイに対し、任意の映像コンテンツを送信する。一般的にネットワーク帯域幅は有限であるため、映像コンテンツサーバ１００から送信される映像コンテンツは、適切なファイルサイズに圧縮された後にネットワークを介して送信される。ディスプレイ２１０、２２０、２３０、及び２４０は、ネットワークを介して映像コンテンツサーバ１００とネットワーク接続されると共に、相互にネットワークを介して通信可能なディスプレイである。
【００１４】
このように、ネットワーク接続された複数のディスプレイ２１０〜２４０を組み合わせて、一つの映像を表示するマルチディスプレイ装置２００が構成される。
【００１５】
図２は、各ディスプレイの構成を示すブロック図である。各ディスプレイとも同じ構成であり、図２では図１におけるディスプレイ２１０を代表して図示している。
【００１６】
ディスプレイ２１０は、通信部２１１と、映像処理部２１２と、表示部２１３と、時刻同期部２１４と、制御部２１５と、を備える。
【００１７】
通信部２１１は、ネットワークを介して通信を行う。映像処理部２１２は、通信部２１１により映像コンテンツサーバ１００から受信された映像コンテンツから所定の表示エリアを所望の拡大率で切り出した画像を生成する。表示部２１３は、映像処理部２１２により生成された画像を表示する。時刻同期部２１４は、ネットワークを介して他のディスプレイ２２０、２３０、及び２４０と時刻を同期させるための調整をして時刻管理を行う。制御部２１５は、これら通信部２１１、映像処理部２１２、表示部２１３、時刻同期部２１４を制御する。制御部２１５は、例えばマイクロコンピュータから構成される。
【００１８】
このディスプレイの構成は実施の形態１及び実施の形態２に共通の構成である。
【００１９】
図１において、説明を簡便化するために、ディスプレイ２１０〜２４０の４台のディスプレイで一つの画面（映像）を構成する例を示している。しかし、このディスプレイの台数や組み方には様々なバリエーションがあり、本実施の形態１に示した構成に限らない。また、図１において、映像コンテンツサーバ１００と各ディスプレイ２１０〜２４０を直接ネットワークで接続した例を示している。しかし、スイッチングハブやネットワークルーターといったネットワーク中継器を間に挿入した構成を用いてもよい。
【００２０】
［１−２．動作］
以上のように構成されたマルチディスプレイ装置２００について、その動作を以下説明する。
【００２１】
図３は、実施の形態１におけるマルチディスプレイ装置２００の動作を説明するためのフローチャートである。なお、本実施の形態の動作説明は、各ディスプレイとも同じ構成なので、ディスプレイ２１０を代表例として述べる。すなわち、映像コンテンツサーバ１００からの圧縮された映像コンテンツは、ディスプレイ２１０だけに受信されるのではなく、他のディスプレイ２２０、２３０、２４０においても受信される。
【００２２】
ディスプレイ２１０は、映像コンテンツサーバ１００から送信された任意の圧縮方式により圧縮された映像コンテンツを、ネットワークを介して通信部２１１において受信する。この受信された映像コンテンツは映像処理部２１２に送信され、最適な復号方式を用いて復号される（ステップＳ１）。一般的な動画コンテンツの圧縮方式にはＨ．２６４やＨ．２６５といった方式が知られおり、静止画コンテンツの圧縮方式にはＪＰＥＧといった方式が知られている。ステップＳ１において、制御部２１５は、映像処理部２１２により処理された映像コンテンツに付与されている情報から、受信した映像コンテンツの映像圧縮方式や音声圧縮方式や映像表示解像度や表示フレーム数などの情報を得ることができる。
【００２３】
映像コンテンツの情報を得た制御部２１５は、マルチディスプレイ装置の表示に適した所定の倍率で映像コンテンツを拡大処理するように映像処理部２１２に対して命令する。映像処理部２１２は、その命令に従い所定の倍率でステップＳ１により復号された映像コンテンツを拡大する（ステップＳ２）。
【００２４】
ステップＳ２の動作について、図４を用いて説明する。図４（ａ）は、ステップＳ１により復号された水平１９２０ドット且つ垂直１０８０ドットの解像度を有する映像コンテンツの復号画像例を示す。一方、図１に示すような構成のマルチディスプレイ装置において、各ディスプレイの解像度が水平１９２０ドット且つ垂直１０８０ドットを有する場合、このマルチディスプレイ装置全体の解像度は、
水平解像度＝１９２０ドット×２台＝３８４０ドット
垂直解像度＝１０８０ドット×２台＝２１６０ドット
即ち、ステップＳ１で復号された図４（ａ）の復号画像を図１に示すような構成のマルチディスプレイ装置全面に表示するためには、拡大率の算出が必要となる。この例の場合、各方向の拡大率は、
水平倍率＝３８４０ドット÷１９２０ドット＝２倍
垂直倍率＝２１６０ドット÷１０８０ドット＝２倍
となる。これらの倍率は、制御部２１５にて算出される。
【００２５】
この時に拡大された映像コンテンツの例を図４（ｂ）に示す。図４（ｂ）において、拡大画像を破線で４つに分割した各領域が、各ディスプレイ２１０〜２４０が表示するエリアに相当する。
【００２６】
ステップＳ２において、拡大率を算出するために、制御部２１５は、ディスプレイ２１０を含むマルチディスプレイ装置の構成（ディスプレイ台数）を把握する必要がある。このディスプレイ台数は、事前に操作者により入力することにより、制御部２１５はディスプレイ台数を把握できる。具体的には、表示部２１３により表示されたメニュー画面を参照しながら、操作者によるリモコン操作で縦や横のディスプレイの構成台数を入力する方法が挙げられる。
【００２７】
なお、図４では、映像コンテンツが有する解像度に対し、マルチディスプレイ装置全体の解像度が大きい例を示したが、その逆の場合でも、同様に拡大表示が可能である。また、図４において、水平倍率と垂直倍率が同一の数値となる例を示したが、水平倍率と垂直倍率の数値が異なった場合でも同様に拡大表示が可能である。
【００２８】
ステップＳ２により、所定の拡大率に復号画像を拡大した後、映像処理部２１２は、ディスプレイ２１０が配置された位置に応じた画像エリアを切り取る（ステップＳ３）。
【００２９】
このステップＳ３の動作について、図５を用いて説明する。図４（ｂ）のように拡大された映像コンテンツを各ディスプレイ２１０〜２４０で表示する場合、図５のように表される。マルチディスプレイ装置２００を構成するディスプレイ２１０は、マルチディスプレイ装置２００において、左上に配置されている。よって、図４（ｂ）で拡大された画像の映像コンテンツの座標では、
水平＝０ドット目〜１９１９ドット目
垂直＝０ドット目〜１０７９ドット目
となる。即ち、ステップＳ２で拡大された画像において、このエリアの画像のみをディスプレイ２１０に表示するように、制御部２１５は映像処理部２１２に対して命令する。映像処理部２１２は受信した命令に従い、所定のエリアの画像を表示部２１３に出力する。
【００３０】
さらに、制御部２１５は、ディスプレイ２１０で管理する時刻を他のディスプレイ２２０、２３０及び２４０と合わせるために、通信部２１１を介して時刻調整を行う。この時刻調整方法としては、ネットワークを介して外部に設置されたＮＴＰ（Ｎｅｔｗｏｒｋ  Ｔｉｍｅ  Ｐｒｏｔｏｃｏｌ）サーバの基準時刻に時刻同期部２１４で管理する時刻を合わせる方法や、マルチディスプレイ装置内の任意の１台を時刻マスターとし、その時刻マスター機能を担うディスプレイの時刻に他のディスプレイの管理時刻を合わせる方法がある。このようにして、マルチディスプレイ装置内の各ディスプレイが管理する時刻を統一できる。
【００３１】
次に、ステップＳ３により生成された所定のエリアの画像（例えば、ディスプレイ２１０に表示されるべき画像）は、制御部２１５が表示部２１３に指示することにより、所望のタイミングで表示部２１３において表示される（ステップＳ４）。
【００３２】
マルチディスプレイ装置のように、複数のディスプレイを用いて一つの映像コンテンツを表示させる場合、各ディスプレイ間の表示タイミングを合わせる必要がある。そこで、前述のように、各ディスプレイが管理する時刻をマルチディスプレイ装置全体で統一することにより、任意の表示シナリオに従って、各ディスプレイから所定のエリアの画像を表示する。このようにして、違和感無く、マルチディスプレイ装置全体に所望の映像コンテンツが表示されうる。表示シナリオの一例を下記に示す。
【００３３】
１０時００分００秒  動画１を再生
１０時１０分００秒  静止画１を再生
１０時１０分３０秒  静止画２を再生
１０時１１分００秒  動画２を再生
例えば、各ディスプレイの設置位置に適した動画１の表示画像がステップＳ３で生成される。そして、制御部２１５が時刻同期部２１４の時刻を参照し、表示部２１３に対して、１０時０分０秒からその生成画像を出力するように命令する。このように、表示シナリオを各ディスプレイが管理することにより、違和感無く、動画１の映像コンテンツをマルチディスプレイ装置全体に表示できる。
【００３４】
［変形例］
図６は、実施の形態１におけるマルチディスプレイ装置の変形例の構成を示したブロック図である。なお、図２のブロック図で用いたブロックについては同一の符号を用い、説明を省略する。
【００３５】
マルチディスプレイ装置２００にて表示する映像コンテンツは、映像コンテンツサーバ１００からネットワークを介して各ディスプレイ２１０〜２４０に送信せずに、記憶媒体２１６に格納してもよい。記憶媒体２１６は、例えば、各ディスプレイ２１０〜２４０に内蔵可能なＳＤカードやＵＳＢメモリ機器である。そして、制御部２１５により制御される映像処理部２１２において、図３に示したフローチャートに従って記憶媒体２１６に格納された映像コンテンツが処理されることにより、所望のタイミングで所望の映像コンテンツが違和感無く表示されうる。
【００３６】
［１−３．効果等］
以上のように、本実施の形態１において、マルチディスプレイ装置全体の構成を事前に把握し、マルチディスプレイ装置を構成する各ディスプレイが管理する時刻を統一することにより、映像コンテンツの分割装置を用いることなく、表示タイミングを合わせた状態で、マルチディスプレイ装置全体で１つのコンテンツを違和感無く表示できる。
【００３７】
（実施の形態２）
以下、図７を用いて、実施の形態２を説明する。
【００３８】
［２−１．構成］
構成自体は、実施の形態１で示した図１及び図２の構成と同一であるため、その説明は省略する。
【００３９】
［２−２．動作］
図７は、実施の形態２におけるマルチディスプレイ装置の動作を説明するためのフローチャートである。図７のフローチャートにおいて、実施の形態１と同じ処理ステップについては、同一符号を付して、その説明は省略する。
【００４０】
一般的に、静止画像の圧縮ファイル形式としては、ＪＰＥＧ形式が用いられる。このＪＰＥＧ圧縮方式は、通常、８ドット×８ドットのエリアを一つのブロックとして圧縮している。例えば、図４（ａ）のように、１９２０ドット×１０８０ドットの解像度を有する静止画像の場合、
水平：１９２０ドット／８ドット＝２４０ブロック
垂直：１０８０ドット／８ドット＝１３５ブロック
に細分化可能となる。つまり、図１において、例えば、ディスプレイ２２０（マルチディスプレイ装置２００を構成するディスプレイの一つ）は、ステップＳ１で映像コンテンツを復号する際、映像コンテンツ全体を復号せずとも、所定のエリアのみ復号することが可能となる。この場合、ディスプレイ２２０の映像処理部は、
水平：２４０ブロック÷２（水平側の拡大率より算出）＝１２０ブロック
垂直：１３５ブロック÷２（垂直側の拡大率より算出）＝６７．５ブロック
即ち、
水平：１２１ブロック目〜２４０ブロック目
垂直：１ブロック目〜６８ブロック目
のみを復号すれば、所望のエリアの画像を得ることが可能となる。但し、ＪＰＥＧのような圧縮方式の場合、隣接ブロック間の相関関係が存在するため、実際には数パーセントの割合で近隣のブロックを含めた領域の展開を行うのが一般的である。
【００４１】
図７において、入力された映像コンテンツが静止画コンテンツか否かの判断を制御部２１５にて行う（ステップＳ５）。静止画コンテンツではない場合、所望のエリアのみを復号することができない。従って、図３のフローチャートで示したようにステップＳ１に進み、所定のタイミングで所望のエリアを各ディスプレイより出力する。
【００４２】
ステップＳ５で、所望のエリアの画像のみ復号可能な形式である静止画コンテンツと判断した場合、制御部２１５は映像処理部２１２に対し、所望のエリアのみ映像コンテンツを復号するように命令（制御）する。映像処理部２１２は、受信した命令に従い復号する（ステップＳ６）。
【００４３】
ステップＳ６により所望のエリアのみ復号された映像コンテンツは、図３のフローチャートでも示したようにステップＳ２に進み、所定のタイミングで所望のエリアの復号画像を各ディスプレイから出力する。ここで、ステップＳ３の所望のエリアを切り取る動作については、ステップＳ６で所望のエリアのみ映像コンテンツを復号した場合は省略可能である。但し、所望のエリア近隣のブロックも含めて復号した場合は、ステップＳ３において、余分なエリアを含まないようにしなければならない。
【００４４】
［２−３．効果等］
以上のように、本実施の形態２において、表示する映像コンテンツが静止画コンテンツか否かの判断ステップを設けることにより、各ディスプレイにて映像コンテンツ全体のエリアを復号する必要がなくなるため、映像処理部における映像コンテンツの復号時間を大幅に削減できる。これより、静止画コンテンツを連続表示するような場合において、現在表示している静止画コンテンツと次に表示すべき静止画コンテンツとの間隔を短くすることが可能となり、静止画コンテンツの表現方法の自由度を広げることができる。
【００４５】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４６】
本開示は、複数台のディスプレイがネットワーク接続されて一つの画面を表示するマルチディスプレイ装置に適用可能である。具体的には、複数台の液晶ディスプレイから構成されたビデオウォールシステム、サイネージシステムなどに、本開示は適用可能である。
【符号の説明】
【００４７】
１００    映像コンテンツサーバ
２１０，２２０，２３０，２４０    ディスプレイ
２１１    通信部
２１２    映像処理部
２１３    表示部
２１４    時刻同期部
２１５    制御部
２１６    記憶媒体
【図１】
2017215566.tif 000003
【図２】
2017215566.tif 000004
【図３】
2017215566.tif 000005
【図４】
2017215566.tif 000006
【図５】
2017215566.tif 000007
【図６】
2017215566.tif 000008
【図７】
2017215566.tif 000009